【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
伸縮領域を備えた吸収性物品であって、
前記伸縮領域は、その肌当接面側に少なくとも２層以上で構成された吸汗速乾シートを有しており、
前記吸汗速乾シートは、肌当接面を形成する疎水性の繊維で構成された疎水性の疎水層と、該疎水層の非肌当接面に隣接して配された親水性の繊維で構成された親水性の親水層とを含み、該疎水層及び該親水層を固定する複数個の融着接合部を有しており、
前記吸汗速乾シートは、その肌当接面の５ｃｍ×５ｃｍの範囲に配した１μＬ×４９滴の液を、６０秒間で吸収した時の液残り量が、１０ｍｇ以下のシートであり、且つ前記肌当接面に配した５０μＬ×１滴の液が、１５分以内に蒸発するシートである、吸収性物品。
【請求項２】
前記吸汗速乾シートは、その肌当接面の５ｃｍ×５ｃｍの範囲に１μＬ×４９滴の液を２分間吸収した際の前記肌当接面の湿潤状態での最大熱移動速度と調湿状態での最大熱移動速度との差Δｑ−ｍａｘ（４９）が、０．１５ｋＷ／ｍ2以下のシートである請求項１に記載の吸収性物品。
【請求項３】
前記吸汗速乾シートは、その肌当接面の７ｃｍ×７ｃｍの範囲に５μＬ×４９滴の液を２分間吸収した際の前記肌当接面の湿潤状態での最大熱移動速度と調湿状態での最大熱移動速度との差Δｑ−ｍａｘ（２４５）が、０．３ｋＷ／ｍ2以下のシートである請求項１又は２に記載の吸収性物品。
【請求項４】
前記融着接合部は、前記吸汗速乾シートを平面視して、半径３ｍｍの仮想円内に少なくとも１個の融着接合部の一部が含まれるように、該疎水層全体に分散配置されている請求項１〜３の何れか１項に記載の吸収性物品。
【請求項５】
前記吸汗速乾シートの前記親水層は、該親水層を構成する構成繊維の配向方向が、前記伸縮領域の伸縮方向に一致している請求項１〜４の何れか１項に記載の吸収性物品。
【請求項６】
前記吸汗速乾シートは、複数枚のシートが重なって構成されており、
前記吸汗速乾シートの全面積に対する融着接合部全体の面積の比率は、１２％以下であり、
前記融着接合部は、その一つの面積が、２ｍｍ2以下である請求項１〜５の何れか１項に記載の吸収性物品。
【請求項７】
前記吸汗速乾シートは、複数枚のシートが重なって構成されており、
前記吸汗速乾シートは、その坪量が４０ｇ／ｍ2以下であり、
前記親水層である親水性シートは、その坪量が９ｇ／ｍ2以上２０ｇ／ｍ2以下であり、該親水性シートを構成する構成繊維の繊維間距離が、４５μｍ以下である請求項１〜６の何れか１項に記載の吸収性物品。
【請求項８】
前記吸汗速乾シートは、複数枚のシートが重なって構成されており、
前記疎水層である疎水性シートは、その坪量が９ｇ／ｍ2以上２０ｇ／ｍ2以下である請求項１〜７何れか１項に記載の吸収性物品。
【請求項９】
前記吸汗速乾シートは、１枚の不織布で形成されており、
前記吸汗速乾シートの全面積に対する融着接合部全体の面積の比率は、１５％以下であり、
前記融着接合部は、その一つの面積が、０．２５ｍｍ2以下である請求項１〜５の何れか１項に記載の吸収性物品。
【請求項１０】
前記吸汗速乾シートは、該吸汗速乾シートを貫通する貫通孔を複数有している請求項１〜９の何れか１項に記載の吸収性物品。
【請求項１１】
吸収性物品は外装体を有し、
前記外装体は、外層シートと、外層シートとは別体の親水性の別シートを有し、
前記外層シートは、該外層シートを貫通する開孔部を複数有しおり、
前記外層シートは、前記別シートの肌当接面側を覆うように折り返された折り返し部分を備え、
前記吸汗速乾シートは、前記外層シートの折り返し部分と前記別シートが重なって形成されている請求項１〜８の何れか１項に記載の吸収性物品。
【請求項１２】
前記外層シートの前記開孔部は、少なくとも一部が、前記吸汗速乾シートにおける前記融着接合部と重ならないように配されている請求項１１に記載の吸収性物品。
【請求項１３】
前記伸縮領域は、前記吸収性物品の外面を形成する非肌当接面側の外層シートと、該外層シートの肌当接面側に配された内層シートを有し、
前記内層シートの肌当接面側には前記外層シートの折り返し部分があり、
前記伸縮領域の最も肌当接面側に前記吸汗速乾シートが配されている請求項１〜１０の何れか１項に記載の吸収性物品。
【請求項１４】
前記伸縮領域は、前記吸収性物品の外面を形成する非肌当接面側の外層シートと、該外層シートの肌当接面側に配された内層シートを有し、
前記外層シートを構成するシート材が、前記吸収性物品のウエスト開口部の周縁部に沿って親水シートの肌当接面側に折り返されて、その折り返し部分が、最も肌当接面側の疎水性シートとなり親水シートと融着接合部で固定された前記吸汗速乾シートを構成している請求項１〜８の何れか１項に記載の吸収性物品。
【請求項１５】
前記吸収性物品の前記伸縮領域は、前記吸汗速乾シートと、該吸汗速乾シートよりも非肌当接面側に配された外層シートとを有し、該吸汗速乾シートと該外層シートと間に該吸収性物品の横方向に伸長した状態で配され且つ該吸収性物品の縦方向に間欠的に配された複数の弾性部材の収縮により前記外層シートが非肌側に膨らむ凸部と肌側に凹む凹部とが該吸収性物品の幅方向に交互形成されてなるギャザー部を有し、
前記伸縮領域を７０％伸長させた状態の前記ギャザー部を断面視して、前記外層シートの前記肌側に凹む凹部の深さの半分の位置から前記非肌側に膨らむ凸部側に、前記開孔部が配置されている請求項１１又は１２に記載の吸収性物品。
【手続補正２】
【補正対象書類名】明細書
【補正対象項目名】００４１
【補正方法】変更
【補正の内容】
【００４１】
〔差Δｑ−ｍａｘ（４９）の測定方法〕
測定には、カトーテック株式会社製の精密迅速熱物性測定装置：ＫＥＳ−Ｆ７（サーモラボＩＩ）を用いる。先ず、７ｃｍ×７ｃｍの大きさの吸汗速乾シートＫＳを、例えば吸収性物品の一例であるおむつ１から切り出す。この時、吸汗速乾シートＫＳの襞や皺を伸ばし、吸汗速乾シートＫＳの肌側面全体が平坦になるようにする。次に、切り出したサンプルを２３℃、５０％ＲＨの条件にて２４時間馴化し調湿する。次いで、調湿したサンプルを、発泡スチロール製のサンプル台（全長２０５ｍｍ×幅２０５ｍｍ）上に疎水層（疎水性シート４）が上方を向くように載せ、調湿したサンプルの、肌当接面となる疎水層（疎水性シート４）の調湿状態での最大熱移動速度：調湿ｑｍａｘ（ｋＷ／ｍ2）値を測定する。この時、吸汗速乾シートＫＳの親水層（親水シート）が発泡スチロール製のサンプル台に直接ふれないように、別の疎水性不織布を敷いたサンプル台上にサンプルを載せる。次に、調湿ｑｍａｘ（ｋＷ／ｍ2）値を測定したサンプルの疎水層（疎水性シート４、肌当接面）に、１μＬの蒸留水を、７ｍｍ間隔で７行×７列滴下し、合計４９個配置した状態で静置し、１個目の滴下から２分後、湿潤状態での疎水層（疎水性シート４）の最大熱移動速度：湿潤ｑｍａｘ（４９）（ｋＷ／ｍ2）値を測定する。測定値は、ｎ＝３の平均値である。そして、次式のようにして、差Δｑ−ｍａｘ（４９）を算出する。
差Δｑ−ｍａｘ（４９）（ｋＷ／ｍ2）＝湿潤ｑｍａｘ（４９）（ｋＷ／ｍ2）値−調湿ｑｍａｘ（ｋＷ／ｍ2）値
差Δｑ−ｍａｘ（４９）（ｋＷ／ｍ2）は、少なければ少ない程、吸汗速乾シートＫＳの肌当接面が濡れておらず、ドライ感が良好であると評価する。
【手続補正３】
【補正対象書類名】明細書
【補正対象項目名】００４３
【補正方法】変更
【補正の内容】
【００４３】
〔差Δｑ−ｍａｘ（２４５）の測定方法〕
測定には、カトーテック株式会社製の精密迅速熱物性測定装置：ＫＥＳ−Ｆ７（サーモラボＩＩ）を用いる。先ず、７ｃｍ×７ｃｍの大きさの吸汗速乾シートＫＳを、例えば吸収性物品の一例であるおむつ１から切り出す。この時、吸汗速乾シートＫＳの襞や皺を伸ばし、吸汗速乾シートＫＳの肌側面全体が平坦になるようにする。次に、切り出したサンプルを２３℃、５０％ＲＨの条件にて２４時間馴化し調湿する。次いで、調湿したサンプルを、発泡スチロール製のサンプル台（全長２０５ｍｍ×幅２０５ｍｍ）上に疎水層（疎水性シート４）が上面を向くように載せ、調湿したサンプルの、肌当接面となる疎水層（疎水性シート４）の調湿状態での最大熱移動速度：調湿ｑｍａｘ（ｋＷ／ｍ2）値を測定する。この時、吸汗速乾シートＫＳの親水層（親水シート）が発泡スチロール製のサンプル台に直接ふれないように、別の疎水性不織布を敷いたサンプル台上にサンプルを載せる。次に、調湿ｑｍａｘ（ｋＷ／ｍ2）値を測定したサンプルの疎水層（疎水性シート４、肌当接面）に、５μＬの蒸留水を、７ｍｍ間隔で７行×７列滴下し、合計４９個配置した状態で静置し、１個目の滴下から２分後、湿潤状態での疎水層（疎水性シート４）の最大熱移動速度：湿潤ｑｍａｘ（２４５）（ｋＷ／ｍ2）値を測定する。測定値は、ｎ＝３の平均値である。そして、次式のようにして、差Δｑ−ｍａｘ（２４５）を算出する。
差Δｑ−ｍａｘ（２４５）（ｋＷ／ｍ2）＝湿潤ｑｍａｘ（２４５）（ｋＷ／ｍ2）値−調湿ｑｍａｘ（ｋＷ／ｍ2）値
差Δｑ−ｍａｘ（２４５）（ｋＷ／ｍ2）は、差Δｑ−ｍａｘ（４９）（ｋＷ／ｍ2）と同様に、少なければ少ない程、吸汗速乾シートＫＳの肌当接面が濡れておらず、ドライ感が良好であると評価する。
【手続補正４】
【補正対象書類名】明細書
【補正対象項目名】００５０
【補正方法】変更
【補正の内容】
【００５０】
また、おむつ１では、図２に示すように、腹側領域Ａ及び背側領域Ｂそれぞれのウエスト伸縮部Ｇ１から胴回り下部伸縮部Ｇ２に亘る領域に、複数本の弾性部材７１が、それぞれ、複数の融着接合部列８Ｌそれぞれの融着接合部８どうし間の隙間を通って、横方向（Ｙ方向）に伸長状態で配されている。そして、図５に示すように、伸長状態で配された弾性部材７１が収縮することにより、隣接する融着接合部列Ｌ，Ｌどうしの間に、外層シート６又は内層シート３ｉからなる襞３Ｆが生じると共に、外層シート６と、内層シート３ｉとの間に、襞３Ｆと襞３Ｆとに周囲を囲まれた中空部３Ｈが形成されるようになる。その為、吸汗速乾シートに吸収した汗が中空部３Ｈによって更に蒸発しやすいので、湿疹、汗疹、かぶれ等の皮膚トラブルを更に低減することができる。
【手続補正５】
【補正対象書類名】明細書
【補正対象項目名】００５８
【補正方法】変更
【補正の内容】
【００５８】
〔繊維間距離の測定方法〕
下記式（１）により求めることができる。
【数１】
2017213360.tif 000001